【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
遊技島に設置される外枠と、前記外枠に対して開閉可能な本体枠とを備え、遊技媒体を用いて遊技が行われる遊技機であって、
前記外枠は、
下部に設けられる幕板を含む下部部材と、
左右いずれか一側に設けられ、前記本体枠を開閉可能に支持するヒンジ部材と、
を少なくとも有し、
前記下部部材の上面には、上方に立設する壁部が左右方向に形成されており、
前記壁部は、
前記ヒンジ部材が設けられた側において後方に退避して形成されることで、前記外枠に対して前記本体枠が閉じられたときに該本体枠との間に領域が形成されるよう構成されてなる
ことを特徴とする遊技機。
【請求項２】
演出表示が行われる演出表示手段をさらに備える
請求項１に記載の遊技機。
【請求項３】
サウンドが出力されるスピーカをさらに備える
請求項１または２に記載の遊技機。
【手続補正２】
【補正対象書類名】明細書
【補正対象項目名】０００７
【補正方法】変更
【補正の内容】
【０００７】
請求項１に記載の遊技機は、遊技島に設置される外枠と、前記外枠に対して開閉可能な本体枠とを備え、遊技媒体を用いて遊技が行われる遊技機であって、前記外枠は、下部に設けられる幕板を含む下部部材と、左右いずれか一側に設けられ、前記本体枠を開閉可能に支持するヒンジ部材と、を少なくとも有し、前記下部部材の上面には、上方に立設する壁部が左右方向に形成されており、前記壁部は、前記ヒンジ部材が設けられた側において後方に退避して形成されることで、前記外枠に対して前記本体枠が閉じられたときに該本体枠との間に領域が形成されるよう構成されてなることを特徴とするものである。
請求項２に記載の遊技機は、請求項１において、演出表示が行われる演出表示手段をさらに備えるものである。
請求項３に記載の遊技機は、請求項１または２において、サウンドが出力されるスピーカをさらに備えるものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】変更
【補正の内容】
【００４８】
このように、本発明によれば、外枠と本体枠との間で遊技媒体が挟まれるのを防止することが可能な遊技機を提供することができる。
【手続補正４４】
【補正対象書類名】明細書
【補正対象項目名】０３６１
【補正方法】変更
【補正の内容】
【０３６１】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
手段１：遊技機において、
「正面視の形状が四角形で前後に貫通している枠状に形成されており、左右の何れか一方の上下両隅に水平に延出している平板状の上側水平部及び下側水平部を有している枠側上ヒンジ部材及び枠側下ヒンジ部材を備え、該枠側下ヒンジ部材の前記下側水平部に、遊技媒体が通過可能な大きさで上下に貫通している排出孔が形成されている外枠と、
該外枠の前記枠側上ヒンジ部材及び前記枠側下ヒンジ部材によって前方へ開閉可能に取付けられており、前側から遊技者の操作によって遊技媒体が打込まれる遊技領域を有している遊技盤を着脱可能に保持する本体枠と、
該本体枠及び前記外枠の少なくとも一方に取付けられており、前記本体枠を前記外枠に対して閉じる時に、前記本体枠と前記外枠との間の遊技媒体を前記排出孔へ誘導する誘導羽根と
を具備している」ものであることを特徴とする。
ここで、「排出孔」としては、遊技媒体が一つのみ通過可能な大きさの孔とすることが望ましい。これにより、排出孔の大きさが可及的に小さくなるため、排出孔の形成によって枠側下ヒンジ部材の強度の低下を最小限に留めることができる。また、「排出孔」は、外枠において枠側上ヒンジ部材及び枠側下ヒンジ部材を除いた枠状の部位の前端よりも後側の部位に形成することが望ましい。これにより、排出孔から落下した遊技媒体が、遊技機が設置される遊技ホールの島設備内側に排出されることとなり、落下した（排出された）遊技媒体を容易に回収することができる。
また、「誘導羽根」としては、「本体枠の開閉動作に伴って可動するもの」、「外枠又は本体枠の少なくとも一方に固定されているもの」、等が挙げられる。また、可動する「誘導羽根」としては、「先端が平面視で本体枠よりも突出するように基端側が本体枠又は外枠に回動可能に取付けられており、本体枠の開閉動作に伴って回動する棒状の誘導羽根」、「外枠に対して本体枠を開けている時に、扇状に展開されると共に排出孔へ向かって低くなるように傾斜しており、本体枠を閉めると折り畳まれる蛇腹状の誘導羽根」、等が挙げられる。
手段１の構成によると、遊技機に、正面視の形状が四角形で前後に貫通している枠状に形成されており、左右の何れか一方の上下両隅に水平に延出している平板状の上側水平部及び下側水平部を有している枠側上ヒンジ部材及び枠側下ヒンジ部材を備え、枠側下ヒンジ部材の下側水平部に、遊技媒体が通過可能な大きさで上下に貫通している排出孔が形成されている外枠と、外枠の枠側上ヒンジ部材及び枠側下ヒンジ部材によって前方へ開閉可能に取付けられており、前側から遊技者の操作によって遊技媒体が打込まれる遊技領域を有している遊技盤を着脱可能に保持する本体枠と、本体枠及び外枠の少なくとも一方に取付けられており、本体枠を外枠に対して閉じる時に、本体枠と外枠との間の遊技媒体を排出孔へ誘導する誘導羽根と、を備えるようにしたものである。
これにより、外枠に対して本体枠を開いている時に、枠側下ヒンジ部材の下側水平部に遊技媒体が落下しても、本体枠及び外枠の少なくとも一方に取付けられている誘導羽根によって、本体枠を閉じる時に遊技媒体を排出孔へ誘導させて、排出孔から下方へ排出させることができ、本体枠と外枠との間に遊技媒体が挟まれるのを防止することができる。従って、本体枠と外枠との間に遊技媒体が挟まれることで、枠側下ヒンジ部材の周りが破損したり、本体枠が正常な状態で閉まらずに外枠と本体枠との間に隙間ができてしまい、その隙間を使って不正行為が行われてしまったりするのを低減させることができる。
また、誘導羽根によって、下側水平部上の遊技媒体を排出孔へ誘導させることができるため、排出孔を大きくしなくても遊技媒体を排出孔から排出させることができ、貫通孔が大きくなることで枠側下ヒンジ部材の強度が低下してしまうのを抑制することができる。従って、外枠と本体枠との間に不正行為を行うための工具が差し込まれても、枠側下ヒンジ部材が十分な強度を有しているため、枠側下ヒンジ部材が歪み難く、枠側下ヒンジ部材の部位で隙間が形成されてしまうのを抑制することができ、不正行為が行われるのを防止することができる。
なお、誘導羽根を、本体枠の開閉動作に伴って可動するようにしても良く、これにより、外枠に対して本体枠を開閉すると、その開閉動作に伴って誘導羽根が可動するため、開閉動作により外枠と本体枠との間の状態変化に合わせた動きを誘導羽根にさせることで、誘導羽根によって遊技媒体を排出孔へ確実に誘導させることができ、枠側下ヒンジ部材の部位において外枠と本体枠との間に遊技媒体が挟まれるのを防止することができる。また、この場合、誘導羽根が本体枠の開閉動作に伴って可動することから、本体枠を閉じる時に邪魔にならない位置へ誘導羽根を可動（移動）させることで、本体枠を良好に閉じることができる。
また、誘導羽根を、棒状に形成し、先端が本体枠よりも突出するように基端側を本体枠に回動可能に取付けると共に、本体枠の開閉動作に伴って棒状の誘導羽根を回動させるようにしても良く、これにより、誘導羽根の回動によって遊技媒体を排出孔へ誘導したり、本体枠を閉める際に誘導羽根を開閉の邪魔にならない位置へ回動させたりすることができるため、本体枠と外枠との間に遊技媒体が挟まれるのを防止して、本体枠を外枠に対して確実に閉めることができる。また、この場合、誘導羽根を棒状としているため、誘導羽根を板状とした場合と比較して、誘導羽根を配置するスペースを確保し易くすることができ、遊技機に誘導羽根を備え易くすることができる。更に、この場合、本体枠に対して誘導羽根を回動可能に取付けており、誘導羽根を外枠に取付けた場合と比較して、本体枠の開閉動作に伴って誘導羽根の取付位置が変化することとなるため、本体枠の開閉と合わせて誘導羽根が多関節的に可動することとなり、誘導羽根が複雑に動くことで本体枠と外枠との間の遊技媒体を排出孔へ誘導させ易くすることができ、上述した作用効果を確実に奏することができる。
更に、外枠に、枠側下ヒンジ部材の下側水平部の後端から上方へ平板状に延出している立壁部を備えるようにしても良く、これにより、下側水平部の後端から遊技媒体を落下させることができなくても、上述したように、誘導羽根によって本体枠を閉じる時に下側水平部上の遊技媒体を排出孔へ誘導させて、排出孔から下方へ排出させることができ、本体枠と外枠との間に遊技媒体が挟まれるのを防止することができると共に、枠側下ヒンジ部材と本体枠や扉枠との間の隙間を通して、遊技機の後側へピアノ線等の不正な工具を侵入させようとしても、不正な工具の先端が下側水平部の後端から上方へ延出している立壁部に当接するため、不正な工具がこれ以上挿入されるのを阻止することができ、ヒンジ部材の部位を介して不正行為が行われるのを防止することができる。
手段２：手段１の構成において、
「前記誘導羽根は、
前記本体枠の開閉動作に伴って可動する」ものであることを特徴とする。
ここで、「開閉動作に伴って可動する誘導羽根」としては、「開閉動作により一部が本体枠又は外枠に当接することで回動する誘導羽根」、「開閉動作により一部が本体枠又は外枠に当接することでスライドする誘導羽根」、「開閉動作を伝達するギア機構やリンク機構等によって回動する誘導羽根」、「開閉動作を伝達するギア機構やリンク機構等によってスライドする誘導羽根」、「開閉動作により展開したり折り畳まれたりする誘導羽根」、「開閉動作により膨張したり収縮したりする誘導羽根」、等が挙げられる。
手段２の構成によると、誘導羽根が、本体枠の開閉動作に伴って可動するようにしたものである。
これにより、外枠に対して本体枠を開閉すると、その開閉動作に伴って誘導羽根が可動するため、開閉動作により外枠と本体枠との間の状態変化に合わせた動きを誘導羽根にさせることで、誘導羽根によって遊技媒体を排出孔へ確実に誘導させることができ、枠側下ヒンジ部材の部位において外枠と本体枠との間に遊技媒体が挟まれるのを防止することができる。
また、誘導羽根が本体枠の開閉動作に伴って可動することから、本体枠を閉じる時に邪魔にならない位置へ誘導羽根を可動（移動）させることで、本体枠を良好に閉じることができる。
手段３：手段２の構成において、
「前記誘導羽根は、
先端が前記本体枠よりも突出するように基端側が前記本体枠に回動可能に取付けられており、棒状に形成されている」ものであることを特徴とする。
ここで、「本体枠よりも突出するように」とは、平面視において本体枠よりも外側へ突出することができれば良く、例えば、「本体枠と外枠との間へ突出する」、「本体枠の後方へ突出」、等が挙げられる。
また、「誘導羽根」としては、「バネの付勢力により突出する誘導羽根」、「本体枠の開閉動作をギアやリンク機構等によって伝達させて突出する誘導羽根」、等が挙げられる。
手段３の構成によると、誘導羽根を、棒状に形成し、先端が本体枠よりも突出するように基端側を本体枠に回動可能に取付けるようにしたものである。
これにより、本体枠の開閉動作に伴って棒状の誘導羽根を回動させるようにしているため、誘導羽根の回動によって遊技媒体を排出孔へ誘導したり、本体枠を閉める際に誘導羽根を開閉の邪魔にならない位置へ回動させたりすることができ、本体枠と外枠との間に遊技媒体が挟まれるのを防止して、本体枠を外枠に対して確実に閉めることができる。
また、誘導羽根を棒状としているため、誘導羽根を板状とした場合と比較して、誘導羽根を配置するスペースを確保し易くすることができ、遊技機に誘導羽根を備え易くすることができる。
更に、本体枠に対して誘導羽根を回動可能に取付けており、誘導羽根を外枠に取付けた場合と比較して、本体枠の開閉動作に伴って誘導羽根の取付位置が変化することとなるため、本体枠の開閉と合わせて誘導羽根が多関節的に可動することとなり、誘導羽根が複雑に動くことで本体枠と外枠との間の遊技媒体を排出孔へ誘導させ易くすることができ、上述した作用効果を確実に奏することができる。
手段４：手段１から手段３までの何れか一つの構成において、
「前記外枠は、
前記枠側下ヒンジ部材の前記下側水平部の後端から上方へ平板状に延出している立壁部を更に備えている」ものであることを特徴とする。
ところで、外枠に対して本体枠や扉枠を開閉可能に取付けているヒンジ部材の部位では、本体枠や扉枠がスムーズに回動できるように、枠側下ヒンジ部材と本体枠や扉枠との間に有る程度の隙間を形成している。そのため、遊技機の前側から、ヒンジ部材の部位の隙間を通してピアノ線等の不正な工具を遊技機の後側へ延びださせ、遊技機の後側に取付けられている各種の制御基板や端子基板等に対して不正行為が行われてしまう問題があった。
手段４の構成によると、外枠に、枠側下ヒンジ部材の下側水平部の後端から上方へ平板状に延出している立壁部を備えるようにしたものである。
これにより、枠側下ヒンジ部材と本体枠や扉枠との間の隙間を通して、遊技機の後側へピアノ線等の不正な工具を侵入させようとしても、不正な工具の先端が下側水平部の後端から上方へ延出している立壁部に当接するため、不正な工具がこれ以上挿入されるのを阻止することができ、ヒンジ部材の部位を介して不正行為が行われるのを防止することができる。なお、立壁部の上端に、前方へ平板状に延出している返し部を備えることが望ましく、これにより、立壁部に当接した不正な工具が上方へ曲がった場合、返し部によって不正な工具の先端を前方へ折返させることができ、ヒンジ部材の部位を介して不正行為が行われるのを確実に阻止することができる。
ところで、下側水平部の後端に上方へ延出している立壁部を備えるようにした場合、外枠に対して本体枠を開いている状態で、遊技媒体が枠側下ヒンジ部材上に落下した場合、下側水平部上の遊技媒体が、立壁部の存在によって下側水平部の後端から排出されないため、本体枠と外枠との間に挟まれてしまう虞がある。しかしながら、本手段では、下側水平部に遊技媒体が通過可能な排出孔が形成されているため、下側水平部上の遊技媒体を排出孔から下方へ排出することができ、本体枠と外枠との間に遊技媒体が挟まれるのを低減させることができる。また、誘導羽根によって、本体枠を閉じる時に下側水平部上の遊技媒体を排出孔へ誘導させて、排出孔から下方へ排出させることができ、本体枠と外枠との間に遊技媒体が挟まれるのを防止することができる。
手段５：遊技機において、
「正面視の形状が四角形で前後に貫通している枠状に形成されており、左右の何れか一方の上下両隅に水平に延出している平板状の上側水平部及び下側水平部を有している枠側上ヒンジ部材及び枠側下ヒンジ部材、及び該枠側下ヒンジ部材の前記下側水平部の後端から上方へ平板状に延出している立壁部、を備え、前記枠側下ヒンジ部材の前記下側水平部に、遊技媒体が通過可能な大きさで上下に貫通している排出孔が形成されている外枠と、
該外枠の前記枠側上ヒンジ部材及び前記枠側下ヒンジ部材によって前方へ開閉可能に取付けられており、前側から遊技者の操作によって遊技媒体が打込まれる遊技領域を有している遊技盤を着脱可能に保持する本体枠と、
先端が該本体枠よりも突出するように基端側が前記本体枠に回動可能に取付けられており、前記外枠に対して閉じる時に、前記本体枠の開閉動作に伴って可動すると共に、該本体枠と前記外枠との間の遊技媒体を前記排出孔へ誘導する棒状の誘導羽根と
を具備している」ものであることを特徴とする。
手段５の構成によると、遊技機に、正面視の形状が四角形で前後に貫通している枠状に形成されており、左右の何れか一方の上下両隅に水平に延出している平板状の上側水平部及び下側水平部を有している枠側上ヒンジ部材及び枠側下ヒンジ部材、及び枠側下ヒンジ部材の下側水平部の後端から上方へ平板状に延出している立壁部、を備え、枠側下ヒンジ部材の下側水平部に、遊技媒体が通過可能な大きさで上下に貫通している排出孔が形成されている外枠と、外枠の枠側上ヒンジ部材及び枠側下ヒンジ部材によって前方へ開閉可能に取付けられており、前側から遊技者の操作によって遊技媒体が打込まれる遊技領域を有している遊技盤を着脱可能に保持する本体枠と、先端が本体枠よりも突出するように基端側が本体枠に回動可能に取付けられており、外枠に対して閉じる時に、本体枠の開閉動作に伴って可動すると共に、本体枠と外枠との間の遊技媒体を排出孔へ誘導する棒状の誘導羽根と、を備えるようにしたものである。
これにより、外枠に対して本体枠を開いている時に、枠側下ヒンジ部材の下側水平部に遊技媒体が落下しても、本体枠に回動可能に取付けられている誘導羽根が、本体枠の開閉動作に伴って回動することによって、本体枠を閉じる時に遊技媒体を排出孔へ誘導させて、排出孔から下方へ排出させることができ、本体枠と外枠との間に遊技媒体が挟まれるのを防止することができる。従って、本体枠と外枠との間に遊技媒体が挟まれることで、枠側下ヒンジ部材の周りが破損したり、本体枠が正常な状態で閉まらずに外枠と本体枠との間に隙間ができてしまい、その隙間を使って不正行為が行われてしまったりするのを低減させることができる。
また、誘導羽根によって、下側水平部上の遊技媒体を排出孔へ誘導させることができるため、排出孔を大きくしなくても遊技媒体を排出孔から排出させることができ、貫通孔が大きくなることで枠側下ヒンジ部材の強度が低下してしまうのを抑制することができる。従って、外枠と本体枠との間に不正行為を行うための工具が差し込まれても、枠側下ヒンジ部材が十分な強度を有しているため、枠側下ヒンジ部材が歪み難く、枠側下ヒンジ部材の部位で隙間が形成されてしまうのを抑制することができ、不正行為が行われるのを防止することができる。
更に、本体枠の開閉動作に伴って棒状の誘導羽根を回動させるようにしているため、誘導羽根の回動によって遊技媒体を排出孔へ誘導したり、本体枠を閉める際に誘導羽根を開閉の邪魔にならない位置へ回動させたりすることができ、本体枠と外枠との間に遊技媒体が挟まれるのを防止して、本体枠を外枠に対して確実に閉めることができる。
また、誘導羽根を棒状としているため、誘導羽根を板状とした場合と比較して、誘導羽根を配置するスペースを確保し易くすることができ、遊技機に誘導羽根を備え易くすることができる。
更に、本体枠に対して誘導羽根を回動可能に取付けており、誘導羽根を外枠に取付けた場合と比較して、本体枠の開閉動作に伴って誘導羽根の取付位置が変化することとなるため、本体枠の開閉と合わせて誘導羽根が多関節的に可動することとなり、誘導羽根が複雑に動くことで本体枠と外枠との間の遊技媒体を排出孔へ誘導させ易くすることができ、上述した作用効果を確実に奏することができる。
また、外枠に、枠側下ヒンジ部材の下側水平部の後端から上方へ平板状に延出している立壁部を備えているため、下側水平部上の遊技媒体を下側水平部の後端から下方へ落下させることができないが、上述したように、排出孔と誘導羽根とを備えており、誘導羽根によって、本体枠を閉じる時に下側水平部上の遊技媒体を排出孔へ誘導させて、排出孔から下方へ排出させることができ、本体枠と外枠との間に遊技媒体が挟まれるのを防止することができる。
また、枠側下ヒンジ部材と本体枠や扉枠との間の隙間を通して、遊技機の後側へピアノ線等の不正な工具を侵入させようとしても、不正な工具の先端が下側水平部の後端から上方へ延出している立壁部に当接するため、不正な工具がこれ以上挿入されるのを阻止することができ、ヒンジ部材の部位を介して不正行為が行われるのを防止することができる。
手段６：手段１から手段５の何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
手段６の構成によると、パチンコ機において、上述した手段のいずれかの作用効果を奏することができる。
手段７：手段１から手段５までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
手段７の構成によると、パチスロ機において、上述した手段のいずれかの作用効果を奏することができる。
手段８：手段１から手段５までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合せが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
手段８の構成によると、パチンコ機とパチスロ機とを融合させてなる遊技機において、上述した手段のいずれかの作用効果を奏することができる。
【手続補正４５】
【補正対象書類名】明細書
【補正対象項目名】０３６２
【補正方法】変更
【補正の内容】
【０３６２】
また、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。